(57)【要約】【課題】騒音の原因となる可聴域の音波を用いることなく効果的に害獣を威嚇し逃避させる害獣威嚇装置及び害獣威嚇システムを提供する。【解決手段】所定エリア１０内に侵入した害獣を威嚇し所定エリア１０外へ逃避させる害獣威嚇装置１であって、超音波を照射する超音波照射手段１１を備え、超音波照射手段１１は、周波数が２０ｋＨｚから３２ｋＨｚ、音圧レベルが所定エリア１０全域において７０ｄＢ以上の超音波を照射し、照射した超音波により害獣を威嚇し所定エリア外１０へ逃避させる。【選択図】図１
2015112098.tif 000002
【特許請求の範囲】
【請求項１】
所定エリア内に侵入した害獣を威嚇し前記所定エリア外へ逃避させる害獣威嚇装置であって、
超音波を照射する超音波照射手段を備え、
前記超音波照射手段は、周波数が２０ｋＨｚから３２ｋＨｚ、音圧レベルが前記所定エリア全域において７０ｄＢ以上の超音波を照射することを特徴とする害獣威嚇装置。
【請求項２】
前記超音波照射手段は、超音波を出力するスピーカーを複数備え、
前記スピーカーは、前記所定エリアの外縁方向に超音波を照射し、かつ前記所定エリア全域に超音波を照射可能に設置されることを特徴とする請求項１に記載の害獣威嚇装置。
【請求項３】
さらに前記超音波照射手段に超音波を照射させる照射信号を出力する制御手段を備え、
前記制御手段は、前記照射信号を出力する時間及び前記照射信号を出力しない時間を設定可能なタイマーを備え、
前記制御手段が前記照射信号を出力しているときに前記超音波照射手段により超音波を照射することを特徴とする請求項１又は２に記載の害獣威嚇装置。
【請求項４】
さらに前記超音波照射手段から照射された超音波を反射する超音波反射手段を備え、
前記超音波照射手段と前記超音波反射手段とにより前記所定エリア全域に超音波を照射することを特徴とする請求項１から３のいずれか１項に記載の害獣威嚇装置。
【請求項５】
前記超音波反射手段は、前記超音波照射手段から照射された超音波を放射状に反射可能なことを特徴とする請求項４に記載の害獣威嚇装置。
【請求項６】
超音波を照射する超音波照射手段と、前記超音波照射手段から照射される超音波を反射する超音波反射手段と、前記超音波照射手段に超音波を照射させる照射信号を出力する制御手段とを含む害獣威嚇装置と、
所定エリア内に侵入した害獣を検知すると検知信号を出力する検知手段とを備え、
前記検知手段が害獣を検知すると前記検知信号を出力し、前記制御手段が前記検知信号に基づき前記照射信号を出力し前記超音波照射手段から超音波を照射し、前記超音波照射手段から照射された超音波と前記超音波反射手段により反射された超音波とで害獣を威嚇することを特徴とする害獣威嚇システム。
【請求項７】
前記害獣威嚇装置は、請求項４又は５に記載の害獣威嚇装置であることを特徴とする請求項６に記載の害獣威嚇システム。
【発明の詳細な説明】
【技術分野】
【０００１】
本発明は、所定エリア内に侵入した害獣を威嚇し所定エリア外に逃避させる害獣威嚇装置及び害獣威嚇システムに関する。
【背景技術】
【０００２】
害獣、特にイノシシ忌避対策としては、捕獲柵、防護柵、忌避剤に関するものが９割以上を占めている。また近年では音波を用いたものも提案されている（例えば特許文献１参照）。
【０００３】
音波を用いたものとしては、１５０Ｈｚから８００Ｈｚの低周波域で、かつ、８０ｄＢ以上の出力が効果的であるとして、これに基づいた忌避装置及び方法が提案されている（例えば特許文献２参照）。特許文献２の内容を補足する資料として、該発明者による学術論文がある（非特許文献１参照）。非特許文献１においては、５Ｈｚの低周波数から８０ｋＨｚの高周波数まで検討が重ねられている。
【０００４】
また１５ｋＨｚから５０ｋＨｚの音域の周波数を連続的に又はランダムに変更させながら所定時間間隔で照射するものも提案されている（例えば特許文献３参照）。
【先行技術文献】
【特許文献】
【０００５】
【特許文献１】特開２００９−１５９９４３号公報
【特許文献２】特開２０１０−２４６５３５号公報
【特許文献３】特開２００８−１１７７７号公報
【非特許文献】
【０００６】
【非特許文献１】江口祐輔ら、「イノシシの行動制御技術開発のための嗅覚・聴覚刺激を用いた研究」、麻布大学雑誌、麻布大学、２００６年、第１３・１４巻、ｐ．１７８−１８２
【発明の概要】
【発明が解決しようとする課題】
【０００７】
特許文献１に記載の鳥獣駆逐装置は、１００Ｈｚから最大５０ｋＨｚの間で音波の間欠発信動作を繰り返すようセッティングされている。この周波数であると、人間にも十分に聞こえることとなる。大きな出力で忌避を狙う場合、騒音が発生することが課題となる。
【０００８】
特許文献２に記載の有害動物忌避装置は、１５０Ｈｚから８００Ｈｚの低周波域の音波を用いている。また非特許文献１において、忌避効果が認められたのは２００Ｈｚ前後の音域であると述べられており、超音波を短時間照射した場合の忌避効果は特段認められないことも添えられている。このため特許文献２に記載の有害動物忌避装置も、特許文献１に記載の鳥獣駆逐装置と同様の課題を有している。
【０００９】
特許文献３には、超音波（一般に２０ｋＨｚ以上）にも忌避効果が認められる記載があるが、低周波数の音波との混合利用であり、超音波だけの効果及び音圧レベルとの相関が示されておらず、特許文献１、２と同様、鳥獣の撃退には低周波数の音域（可聴域）の音波が必要であると解される。
【００１０】
本発明の目的は、騒音の原因となる可聴域の音波を用いることなく効果的に害獣を威嚇し逃避させる害獣威嚇装置及び害獣威嚇システムを提供することである。
【課題を解決するための手段】
【００１１】
本発明は、所定エリア内に侵入した害獣を威嚇し前記所定エリア外へ逃避させる害獣威嚇装置であって、超音波を照射する超音波照射手段を備え、前記超音波照射手段は、周波数が２０ｋＨｚから３２ｋＨｚ、音圧レベルが前記所定エリア全域において７０ｄＢ以上の超音波を照射することを特徴とする害獣威嚇装置である。
【００１２】
本発明によれば、超音波により害獣を威嚇し逃避させることができるので、騒音の原因となる可聴域の音波を用いる必要がなく、人間にとって無害である。特に照射する超音波の周波数を２０ｋＨｚから３２ｋＨｚ、音圧レベルを７０ｄＢ以上とすることで効果的に害獣を威嚇することができる。
【００１３】
また本発明において、前記超音波照射手段は、超音波を出力するスピーカーを複数備え、前記スピーカーは、前記所定エリアの外縁方向に超音波を照射し、かつ前記所定エリア全域に超音波を照射可能に設置されることを特徴とする。
【００１４】
本発明によれば、害獣の侵入を防止すべき所定エリアの外縁方向へ超音波が照射されるので、害獣を効果的に所定エリア外へ逃避させることができる。
【００１５】
また本発明の害獣威嚇装置は、さらに前記超音波照射手段に超音波を照射させる照射信号を出力する制御手段を備え、前記制御手段は、前記照射信号を出力する時間及び前記照射信号を出力しない時間を設定可能なタイマーを備え、前記制御手段が前記照射信号を出力しているときに前記超音波照射手段により超音波を照射することを特徴とする。
【００１６】
本発明によれば、超音波を照射するタイミングを任意に設定可能であり、例えば、パルスの超音波の照射が可能であるとともに、間欠照射により害獣の超音波に対する馴れを抑制することができる。
【００１７】
また本発明の害獣威嚇装置は、さらに前記超音波照射手段から照射された超音波を反射する超音波反射手段を備え、前記超音波照射手段と前記超音波反射手段とにより前記所定エリア全域に超音波を照射することを特徴とする。
【００１８】
本発明によれば、超音波反射手段により超音波を反射させることができるので、超音波の照射範囲を柔軟に設定することができる。また超音波反射手段により超音波の進行方向を変化させ、罠などを設置した場所へ害獣を誘導するように超音波を照射し威嚇することも可能である。
【００１９】
本発明において、前記超音波反射手段は、前記超音波照射手段から照射された超音波を放射状に反射可能なことを特徴とする。
【００２０】
本発明によれば、超音波反射手段により超音波を放射状に反射可能なので、効率的である。
【００２１】
また本発明は、超音波を照射する超音波照射手段と、前記超音波照射手段から照射される超音波を反射する超音波反射手段と、前記超音波照射手段に超音波を照射させる照射信号を出力する制御手段とを含む害獣威嚇装置と、所定エリア内に侵入した害獣を検知すると検知信号を出力する検知手段とを備え、前記検知手段が害獣を検知すると前記検知信号を出力し、前記制御手段が前記検知信号に基づき前記照射信号を出力し前記超音波照射手段から超音波を照射し、前記超音波照射手段から照射された超音波と前記超音波反射手段により反射された超音波とで害獣を威嚇することを特徴とする害獣威嚇システムである。
【００２２】
本発明によれば、検知手段により害獣を検知したときに超音波を照射するので効率的である。また超音波反射手段により超音波の進行方向を変更させることができるので、超音波の照射範囲を柔軟に設定することができる。さらに超音波照射手段、超音波反射手段、検知手段を複数台、組合せて用いることで、所定エリア内の特定エリア毎に超音波の照射方向などを細かく設定し、より効果的に害獣を威嚇し逃避させることも可能である。
【００２３】
また本発明の害獣威嚇システムは、前記害獣威嚇装置を備えることを特徴とする。
【発明の効果】
【００２４】
本発明の害獣威嚇装置及び害獣威嚇システムは、超音波のみを用いて害獣を威嚇し逃避させるので、騒音の原因となる可聴域の音波を用いる必要がない。このため超音波の出力（音圧レベル）や設置場所、時間帯などの制限を受けず、幅広く用いることができる。特に、照射する超音波の周波数を２０ｋＨｚから３２ｋＨｚ、音圧レベルを７０ｄＢ以上とすることで効果的に害獣を威嚇し逃避させることができる。さらに超音波反射手段を用いることで超音波の照射範囲、進行方向を柔軟に設定可能であり、効果的に害獣を威嚇し逃避させることができる。
【図面の簡単な説明】
【００２５】
【図１】本発明の第１実施形態の害獣威嚇装置１の設置状態を示す斜視図である。
【図２】図１の害獣威嚇装置１の構成を示す図である。
【図３】本発明の第２実施形態の害獣威嚇装置２の設置状態を示す平面図である。
【図４】本発明の第３実施形態の害獣威嚇装置３の要部斜視図である。
【図５】本発明の第４実施形態の害獣威嚇システム４の斜視図である。
【図６】図５の害獣威嚇システム４の構成を示す図である。
【図７】本発明の所定エリアを説明するための図である。
【図８】飼育檻１０１及び試験装置１１０の概略図である。
【図９】図８の試験装置１１０を用いたイノシシ１００に対する威嚇試験の結果を示すグラフである。
【図１０】図８の試験装置１１０を用いたイノシシ１００に対する威嚇試験の結果を示すグラフである。
【図１１】図８の試験装置１１０を用いたイノシシ１００に対する威嚇試験の結果を示すグラフである。
【図１２】超音波非照射時のイノシシ１００の活動結果を示すグラフである。
【図１３】図８の試験装置１１０を用いたイノシシ１００に対する威嚇試験の結果を示すグラフである。
【図１４】図８の試験装置１１０を用いたイノシシ１００に対する威嚇試験の結果を示すグラフである。
【図１５】図８の試験装置１１０を用いたイノシシ１００に対する威嚇試験の結果を示すグラフである。
【発明を実施するための形態】
【００２６】
図１は、本発明の第１実施形態の害獣威嚇装置１の設置状態を示す斜視図である。図２は、図１の害獣威嚇装置１の構成を示す図である。本発明の第１実施形態の害獣威嚇装置１は、超音波照射手段１１を備え、田畑や道路などの害獣の侵入を防止すべき所定エリア１０内に侵入した害獣に対し超音波を照射して威嚇し害獣を逃避させる。
【００２７】
超音波照射手段１１は、超音波を照射するスピーカー２１と、超音波発振器３１、アンプ３２、及び制御ユニット３３を有する本体２２と、スピーカー２１を固定する支柱２３とを備え、超音波発振器３１で発振された超音波をアンプ３２で増幅してスピーカー２１より照射する。
【００２８】
スピーカー２１は、所定エリア１０の全域に超音波を照射可能に設置される。スピーカー２１は、特定のものに限定されるものではなく、公知のものを適宜選択して用いることができ、首振り機能などを有していてもよい。
【００２９】
超音波発振器３１は、周波数が２０ｋＨｚから３２ｋＨｚの範囲において単一の周波数の超音波、一定の幅を持った周波数の超音波、又は複数の周波数を組合せた超音波を発振する。超音波発振器３１は、圧電素子などを利用した公知のものを適宜選択して用いることができる。
【００３０】
アンプ３２は、超音波発振器３１により発振された超音波の音圧レベルを増幅させ、スピーカー２１より照射させる。アンプ３２は、スピーカー２１から照射される超音波の音圧レベルが所定エリア１０の全域において７０ｄＢ以上となるように超音波の音圧レベルを増幅可能なものであればよく、公知のものを適宜選択して用いることができる。
【００３１】
制御ユニット３３は、照射信号を出力することで超音波発振器３１に超音波を発振させる機能を有し、超音波発振器３１による超音波の発振及び停止を制御する。制御ユニット３３は、例えば、本体２２に設けられた超音波照射ボタン（図示省略）が押されたときに照射信号を出力する。制御ユニット３３に照射信号を出力させる方法は、上記の方法に限定されるものではなく、センサー（図示省略）などを用いて害獣を検知したときに照射信号を出力させる方法や、本体２２の電源が入っているときには常に照射信号を出力させるようにしてもよい。
【００３２】
また制御ユニット３３にタイマー機能を付加し、該タイマー機能により照射信号を出力する時間及び停止する時間を制御し、パルスの超音波を発振させる、及び／又は間欠的に超音波を発振させるようにすることもできる。
【００３３】
支柱２３は、円柱の杭であり、地面に固定され円柱部にスピーカー２１が取付けられている。なお害獣威嚇装置１は、支柱２３を用いることなくスピーカー２１と本体２２とが一体的に構成されていてもよい。
【００３４】
以上のように構成される害獣威嚇装置１は、所定エリア１０の全域に超音波が照射されるように田畑の周囲や道路脇などに設置され、制御ユニット３３から照射信号が出力されると周波数が２０ｋＨｚから３２ｋＨｚ、所定エリア１０の全域において音圧レベルが７０ｄＢ以上の超音波を照射し、害獣を威嚇する。後述する実施例にあるように害獣、特にイノシシは、周波数２０ｋＨｚから３２ｋＨｚ、音圧レベル７０ｄＢ以上の超音波を嫌うので、害獣威嚇装置１により害獣を効果的に逃避させることができる。
【００３５】
害獣威嚇装置１は、可聴音域の音波を用いることなく超音波のみで害獣を威嚇し逃避させることができるので、騒音の原因とならず、設置場所や時間帯の制限を受けることなく使用することができる。
【００３６】
図３は、本発明の第２実施形態の害獣威嚇装置２の設置状態を示す平面図である。図１、２に示す第１実施形態の害獣威嚇装置１と同一の構成には同一の符号を付して説明を省略する。第２実施形態の害獣威嚇装置２は、スピーカー２１が所定エリア１０の中央に設置されており、所定エリア１０の外縁に向けて超音波を照射する。
【００３７】
第２実施形態の害獣威嚇装置２は、スピーカー２１を４台備え、４台のスピーカー２１が四方を向くように配置されている。なおスピーカー２１は、特定の台数に限定されるものではなく、例えば８台のスピーカー２１が八方を向くように設置されていてもよい。なお本体２２は、所定エリア１０の外に設置されているが、これに限定されるものではなく、支柱２３に近接して設置されていてもよく、スピーカー２１と一体的に構成されていてもよい。
【００３８】
超音波は、進行に伴い減衰するので、上記のようにスピーカー２１を所定エリア１０の中央に設置し、所定エリア１０の外縁に向けて超音波を照射すると、所定エリア１０の中央部では音圧レベルが高く、外縁では音圧レベルが比較的低くなる。このため音圧レベルが比較的低い所定エリア１０の外縁方向へ害獣が誘導され、害獣を効果的に所定エリア１０の外へ逃避させることができる。
【００３９】
図４は、本発明の第３実施形態の害獣威嚇装置３の要部斜視図である。図１、２に示す第１実施形態の害獣威嚇装置１と同一の構成には同一の符号を付して説明を省略する。第３実施形態の害獣威嚇装置３は、スピーカー２１から照射された超音波を反射させる超音波反射手段１２を備える。
【００４０】
超音波反射手段１２は、先端部３５が円錐状に形成された円柱体であり、超音波を反射する材料で形成されている。超音波反射手段１２の材質は、超音波が反射されたときの減衰が小さい材質であることが好ましい。このような材質としては、例えば、アルミニウムや熱処理を施した鋼材などを用いたものが挙げられる。
【００４１】
第３実施形態の害獣威嚇装置３は、例えば、所定エリア１０の中央部に設置され、スピーカー２１を下向きに設置し、その真下に先端部３５を上向きに超音波反射手段１２を設置することで、スピーカー２１から照射される超音波を超音波反射手段１２の先端部３５で反射させ、所定エリア１０の外縁に向けて全方位へ放射状に超音波を照射することができる。
【００４２】
なお超音波反射手段１２の使用方法は、特定の方法に限定されるものではなく、例えば、スピーカー２１を上向きに設置し、その真上に先端部３５を下向きに超音波反射手段１２を設置してもよい。
【００４３】
また超音波反射手段１２の形状も、特定の形状に限定されるものではなく、例えば、凸型半球面状や凹型半球面状とすることで超音波を上方や下方へ放射状に反射することもでき、その他、用途や設置場所などに応じて形状を適宜決めることができる。さらに超音波反射手段１２の表面に凹凸や突起を設け、超音波を乱反射させるようにしてもよい。
【００４４】
このように超音波反射手段１２を用いることで、全方位に向けて放射状に超音波を照射することができるので、所定エリア１０の外縁方向へ超音波を照射する際などにおいてスピーカー２１の台数を低減することが可能であるとともに、害獣威嚇装置３の用途、設置場所などのバリエーションが広がる。
【００４５】
図５は、本発明の第４実施形態の害獣威嚇システム４の斜視図である。図６は、図５の害獣威嚇システム４の構成を示す図である。図１、２に示す第１実施形態の害獣威嚇装置１と同一の構成には同一の符号を付して説明を省略する。
【００４６】
第４実施形態の害獣威嚇システム４は、第１実施形態の害獣威嚇装置１と、超音波を反射させる超音波反射手段１５と、所定エリア１０内の害獣を検知する検知手段１６と、外部入力手段１７とを備え、検知手段１６により害獣を検知すると害獣威嚇装置１から超音波を照射させ害獣を威嚇し逃避させる。
【００４７】
超音波反射手段１５は、害獣威嚇装置１のスピーカー２１から照射された超音波が反射され所定エリア１０の全域に届くように所定エリア１０の長手方向の両側に水平に互い違いに配置されている。
【００４８】
検知手段１６は、赤外線センサー（図示省略）と動体センサー（図示省略）とを備え、熱と動きとにより害獣を検知し、害獣を検知すると制御ユニット３３へ検知信号を出力する。検知手段１６は、所定エリア１０の全域において害獣を検知可能に複数台、支柱２３に固定されて設置されている。
【００４９】
外部入力手段１７は、入力ボタン４１を備え、所定エリア１０（検知手段１６の検知範囲）の外に支柱２３に固定されて設置されている。外部入力手段１７は、入力ボタン４１が押されると制御ユニット３３へ外部入力信号を出力する。
【００５０】
制御ユニット３３は、第１実施形態の害獣威嚇装置１の制御ユニット３３と基本的な機能は同じであるが、照射信号を超音波発振器３１へ出力する際の条件が付加されている。制御ユニット３３は、検知手段１６からの検知信号の入力があるときに照射信号を超音波発振器３１へ出力する。また外部入力手段１７からの外部入力信号の入力時から所定時間内には、検知手段１６からの検知信号の入力の有無にかかわらず照射信号を出力しない。なお外部入力信号の入力により照射信号を出力しない時間は、制御ユニット３３の内部に別途タイマーを設け、予め設定しておけばよい。
【００５１】
以上のように構成される害獣威嚇システム４では、検知手段１６が害獣を検知すると制御ユニット３３へ検知信号を出力し、制御ユニット３３に検知信号が入力されると制御ユニット３３が超音波発振器３１へ照射信号を出力し、スピーカー２１から超音波が照射される。スピーカー２１から照射された超音波は、超音波反射手段１５に反射され所定エリア１０の全域に照射される。
【００５２】
またペットなどを連れて所定エリア１０内を通過する際には、外部入力手段１７の入力ボタン４１を押すと、外部入力手段１７が制御ユニット３３へ外部入力信号を出力し、制御ユニット３３に外部入力信号が入力されてから所定の時間、制御ユニット３３が照射信号の出力を行わないので、ペットなどに超音波が照射されることなく所定エリア１０を通過することができる。
【００５３】
害獣威嚇システム４を用いると、検知手段１６により害獣を検知したときに超音波を照射するので非常に効率的である。また超音波反射手段１５により超音波の進行方向を変更させ、所定エリア１０の全域に効率よく超音波を照射することができる。また比較的音圧レベルが低くなる所定エリア１０の超音波の進行方向における終端付近に捕獲檻などの罠（図示省略）を設けておき、該罠の方へ害獣を誘導するような使い方も可能である。
【００５４】
なお本発明の害獣威嚇システム４において、超音波反射手段１５の形状や設置方法は、特定のものに限定されるものではなく、例えば、所定エリア１０の長手方向の全長に亘って設けられていてもよく、上下に設けられていてもよい。また超音波反射手段１５は、表面に凹凸や突起などを設けて超音波を乱反射させるようにしてもよい。
【００５５】
検知手段１６は、赤外線センサー及び動体センサーに限定されるものではなく、どちらか一方のみを用いてもよく、他の検知手段、例えば、カメラ（図示省略）などを用いてもよい。検知手段１６にカメラを用いる際には、検知手段１６又は制御ユニット３３にカメラで撮影した映像を解析し害獣を判別する画像解析手段（図示省略）を付加し、害獣と害獣以外の動物とを判別し、害獣であると判別したときに検知信号又は照射信号を出力するようにしてもよい。
【００５６】
なお害獣と害獣以外の動物との判別方法は、特定の方法に限定されるものではなく、検知手段１６のセンサーの高さを害獣の体長に合わせて配置する方法や、害獣特有の体温や動きを赤外線センサー及び／又は動体センサーで判別する方法などを採用することができる。
【００５７】
また検知手段１６及び外部入力手段１７は、支柱２３を用いて固定したが、これに限定されるものではなく、例えば、害獣威嚇装置１に一体的に取付けられていてもよく、道路を所定エリア１０として害獣威嚇システム４を用いる場合には、電柱（図示省略）などに取付けられていてもよい。スピーカー２１も同様に電柱などに取付けられていてもよい。
【００５８】
さらに制御ユニット３３に、受信した検知信号のＯＮ／ＯＦＦの切替え速度やパターンなどから検知されたものが害獣か害獣以外の動物かを判別する害獣判別手段を設け、害獣であると判別したときに照射信号を出力するようにしてもよい。
【００５９】
外部入力手段１７は、入力ボタン４１に代えて、ペットなどに取付ける発信機（図示省略）と該発信機からの信号を受信する受信機（図示省略）とを備え、発信機の信号を受信機が受信したときに制御ユニット３３へ外部入力信号を出力するようにしてもよい。
【００６０】
以上、第１から第４実施形態の害獣威嚇装置１、２、３、及び害獣威嚇システム４を用いて、本発明の害獣威嚇装置及び害獣威嚇システムを説明したが、本発明の害獣威嚇装置及び害獣威嚇システムは、上記実施形態に限定されるものではなく、要旨を変更しない範囲で変形して使用することができる。
【００６１】
例えば、所定エリア１０の外縁に音圧レベル計（図示省略）を設置して害獣威嚇装置１から照射された超音波の音圧レベルを計測し、害獣威嚇装置１へフィードバックさせ、所定エリア１０の外縁において音圧レベルが常に７０ｄＢ以上となるように増幅器３２を自動で調節するフィードバック制御手段を付加してもよい。
【００６２】
またスピーカー２１の開口部又は超音波を発振させる振動子（図示省略）を壁や配管などの構造物（図示省略）に当接させて設置し、構造物を介して超音波を伝播させ、構造物内の害獣を威嚇し逃避させるように害獣威嚇装置又は害獣威嚇システムを構成することもできる。
【００６３】
また害獣の侵入を防止すべきエリアであり、かつ超音波を照射するエリアである所定エリアは、図７（ａ）に示すような矩形のエリアに限定されるものではなく、円形、三角形など任意の形状のエリアが含まれる。また図７（ｂ）に示すようにあるエリアの外周部のみを所定エリアとしてもよい。図７（ｂ）に示すように外周部のみを所定エリアとすれば、広いエリアであっても効率的に害獣の侵入を防止することができる。
【００６４】
さらに所定エリアは、図７（ｃ）に示すようにあるエリアの一部のみであってもよい。例えば、広い畑において地理的状況等により電柵を設置することが難しいエリアを所定エリアとし、そこにのみに超音波を照射すれば非常に効率的である。電柵と本発明の害獣威嚇装置又は害獣威嚇システムとを併用すれば、効率的に害獣の侵入を防止することができる。なお、所定エリアと害獣検知範囲とは一致しなくてもよい。
【実施例】
【００６５】
図８は、飼育檻１０１及び試験装置１１０の概略図である。なお図８中のドットが付された部分は、センサー部１１１の検知範囲１１５を示している。また試験装置１１０の基本的構成は、害獣威嚇装置１及び害獣威嚇システム４と同様である。
【００６６】
イノシシ（ウリボウ）１００を３頭捕獲し、飼育檻１０１で飼育した。被検体としたウリボウの年齢等の詳細は不明であるが、生後３〜４カ月（推定）で捕獲され、半年間程度試験に曝された。初期の体長は、鼻先から胴体の末端まで（尻尾含まず）４０ｃｍ程度、試験終了時には、大凡６０ｃｍであった。
【００６７】
飼育檻１０１の中に水飲み場１０２を設け、家畜用配合飼料を毎朝定量与えた。なお飼育檻１０１は、高さＨが１．８８ｍ、全長Ｌが３．９８ｍ、幅が１．４４ｍである。イノシシ１００は、設置した１か所の水飲み場１０２へ否応なしに向かうことになる。威嚇効果を確認するにあたり、この水飲み場１０２付近にイノシシ１００がどの程度侵入してきたかを定量的に計測することで、その効果を推し測った。
【００６８】
試験装置１１０は、被検体（イノシシ）１００の存在を検知するセンサー部１１１（赤外線センサー及び動体センサー）、制御ユニット１１２、及び超音波を照射するスピーカー１１３で構成されている。イノシシ１００がセンサー部１１１の検知範囲１１５内に侵入すると、センサー部１１１がイノシシ１００を感知し、制御ユニット１１２がスピーカー１１３から超音波を照射させる。センサー部１１１の検知範囲１１５とスピーカー１１３の超音波照射範囲とは、一致するように設定した。
【００６９】
また制御ユニット１１２は、超音波の周波数、パルス周期、照射時間の設定変更が可能であり、さらに超音波の音圧レベルを調節するアンプ（図示省略）と、センサー部１１１の検知範囲１１５内にイノシシ１００が侵入した積算時間をデータとして記録するデータロガー（図示省略）とを備える。
【００７０】
周波数を２０ｋＨｚに設定したときのアンプのゲインと、スピーカー１１３から１ｍ地点及び２ｍ地点における音圧レベルとの関係を表１に示す。このときの周囲の音は、５５ｄＢであった。
【００７１】
【表１】
2015112098.tif 000003
【００７２】
また周波数を２５ｋＨｚに設定したときのアンプのゲインと、スピーカー１１３から１ｍ地点及び２ｍ地点における音圧レベルとの関係を表２に示す。このときの周囲の音は、５５ｄＢであった。
【００７３】
【表２】
2015112098.tif 000004
【００７４】
超音波非照射下のイノシシ１００の行動パターンを調べるため、１０月４日から１０月２２日までの約２０日分のデータを取得し、その平均値をバックグラウンドＢＧ１とした。照射する超音波の周波数を１０ｋＨｚ、１５ｋＨｚ、２０ｋＨｚ、２５ｋＨｚ、３０ｋＨｚとして試験を行った。以下に、その代表的な試験結果を示す。
【００７５】
＜実施例１＞
センサー部１１１及びスピーカー１１３を水飲み場１０２付近の天井に設置し、照射する超音波の周波数を２０ｋＨｚ、アンプのゲインを８０％に設定し、イノシシ１００の活動データを１０月２４日から１０月２７日までの４日間取得した（図９参照）。図９中の縦軸は、イノシシ１００がセンサー部１１１の検知範囲１１５内に侵入した積算時間（秒）を示し、横軸は、時刻を示している。以下、図１５まで縦軸及び横軸については、同様である。
【００７６】
照射直後の１日目及び２日目は、超音波の照射により一時興奮状態となり、バックグラウンドＢＧ１を大きく超える活動を示している。一見、効果がないようにも考えられた。しかしながら、３日目以降は、活動（水飲み場１０２への侵入）が大幅に抑えられる傾向が認められた。
【００７７】
試験開始後は、飼育檻１０１のどの領域に立ち入れば超音波照射が始まり、どの領域は無照射区域であるか、学習を要する期間であったと考えられる。イノシシ１００は、水飲み場１０２に立ち寄るたびに超音波の照射領域で驚き、暫くの間、激しく活動したと考えられる。３日目からは劇的に活動領域を自身で制限し、極力、超音波が照射されない区域に留まるようになった。
【００７８】
引き続き同一の条件でイノシシ１００活動データを１０月２８日から１１月４日までの８日間取得した（図１０、図１１参照）。図１０及び図１１に示す通り、バックグラウンドＢＧ１に比べて顕著な活動抑制効果が認められた。なお最初の４日間と気温、天候については大差なく、気象の影響による活動抑制は考えにくい。多少ばらつきはあるものの、イノシシ１００の活動を大幅に抑えることに成功した。
【００７９】
＜比較例１＞
幾つかの周波数を選定し同様の試験を行った後に、超音波の照射を停止した状態でイノシシ１００の活動データを１１月１０日から１１月１２日までの３日間取得した。図１２に該３日間のデータの平均値（非照射）及びバックグラウンドＢＧ１を示す。超音波の照射をやめた途端、先のバックグラウンドＢＧ１に匹敵するほど活発な活動を開始した。
【００８０】
＜実施例２＞
次に、スピーカー１１３の位置を変更し、イノシシ１００の慣れの影響を評価した。実施例１では、飼育檻１０１の左側に水飲み場１０２があり、センサー部１１１の検知範囲１１５を固定し、水飲み場１０２の頭上から超音波照射を行っていた。この時、イノシシ１００の寝床は、飼育檻１０１の右端が定位置となっていた。水飲み場１０２は、変更せず、センサー部１１１及びスピーカー１１３の位置をイノシシ１００の寝床付近に変更した。
【００８１】
試験期間も既に数か月経過していたため、１２月２５日から１月１１日までの１８日間、バックグラウンドＢＧ２を再計測した。今回のバックグラウンドＢＧ２は、寝床付近（センサー部１１１の検知範囲１１５）で活動している場合を侵入時間としてカウントし、侵入後に活動を一定時間控えていればカウントしないようにした。
【００８２】
照射する超音波の周波数を２５ｋＨｚ、アンプのゲインを８０％に設定し、イノシシ１００の活動データを１月１２日から１月１４日までの３日間取得した（図１３参照）。イノシシ１００は、超音波の照射を嫌がり、センサー部１１１の検知範囲１１５を避けるようになった。飼育檻１０１の左側の水飲み場１０２と右側の寝床の中央に新たな定位置を設けたのである。水飲み場１０２の頭上からは超音波の照射を止めているにもかかわらず、イノシシ１００は、記憶にある超音波の照射を嫌っているものと考えられる。
【００８３】
＜比較例２＞
照射する超音波の周波数を２５ｋＨｚ、アンプのゲインを３０％に設定し、イノシシ１００の活動データを１２月８日から１２月１３日までの６日間取得した（図１４、１５参照）。またバックグラウンドＢＧ３は、新たにデータを取得した。このときセンサー部１１１及びスピーカー１１３の位置は、イノシシ１００の寝床付近とした。
【００８４】
図１４、１５に示すように、アンプのゲインを３０％（音圧レベル７０ｄＢ未満）に設定するとイノシシ１００に対する威嚇効果が低いことがわかる。
【００８５】
＜比較例３＞
水飲み場１０２に近づくと１ｋＨｚの音が水飲み場１０２付近から発生するような状況とした。威嚇のために音を発信しようがしまいが、規則正しいリズムでイノシシ１００が生活していた。１ｋＨｚで比較的大きな音量で刺激を与えても威嚇効果が全くなかった。
【符号の説明】
【００８６】
１、２、３                害獣威嚇装置
４                        害獣威嚇システム
１０                      所定エリア
１１                      超音波照射手段
１２、１５                超音波反射手段
１６                      検知手段
２１                      スピーカー
３３                      制御ユニット
【図１】
2015112098.tif 000005
【図２】
2015112098.tif 000006
【図３】
2015112098.tif 000007
【図４】
2015112098.tif 000008
【図５】
2015112098.tif 000009
【図６】
2015112098.tif 000010
【図７】
2015112098.tif 000011
【図８】
2015112098.tif 000012
【図９】
2015112098.tif 000013
【図１０】
2015112098.tif 000014
【図１１】
2015112098.tif 000015
【図１２】
2015112098.tif 000016
【図１３】
2015112098.tif 000017
【図１４】
2015112098.tif 000018
【図１５】
2015112098.tif 000019